(57)【要約】【課題】ダクトジョイントと換気扇本体の金属ケースとの間に隙間を生じさせず、確実にダクトジョイントと換気扇本体とを接触させて、給気や排気を確実に行うこと。【解決手段】室内の壁面に形成された取付開口部２２に取付枠２０を設け、取付枠２０にダクトジョイント３０を取り付け、取付枠２０の内部に換気扇本体４を挿入し、該換気扇本体４の奥部をダクトジョイント３０に掛止させる換気扇の取付構造において、ダクトジョイント３０と取付枠２０とは、取付枠２０の入り口側から奥方にダクトジョイント３０を移動させて取り付ける。【選択図】　図１
2004036946.tif 000002
【特許請求の範囲】
【請求項１】
室内の壁面に形成された取付開口部に取付枠を設け、この取付枠の奥部にダクトジョイントを取り付け、前記取付枠の内部に換気扇本体を挿入し、該換気扇本体の奥部を前記ダクトジョイントに掛止させる換気扇の取付構造において、
前記ダクトジョイントと前記取付枠とは、前記取付枠の入り口側から奥方に前記ダクトジョイントを移動させて前記取付枠に取り付けることを特徴とする換気扇の取付構造。
【請求項２】
請求項１の換気扇の取付構造において、
前記取付枠は、前記取付開口部の断面に沿って延びる平板部を備えており、この平板部の上縁部に該平板部に沿って延びる被掛止突起が形成され、前記平板部の該被掛止突起の基部近傍に掛止開口部が形成され、前記ダクトジョイントに、前記取付開口部の入り口側から前記ダクトジョイントを挿入して前記被掛止突起を保持する第１爪部と、前記取付開口部の入り口側から前記ダクトジョイントを挿入するときに、前記掛止開口部に挿入されて前記掛止開口部の上縁部を保持する第２爪部とが形成されていることを特徴とする換気扇の取付構造。
【請求項３】
室内の壁面に形成された取付開口部に取付枠を設け、前記取付枠の奥部にダクトジョイントを取り付けて、前記取付枠の内部に換気扇本体を挿入し、該換気扇本体の奥部を前記ダクトジョイントに掛止させる換気扇の取付構造において、
前記ケースに被掛止部が形成され、前記ダクトジョイントに、前記被掛止部に挿入されて前記ダクトジョイントを前記換気扇本体に近づける案内部が形成されていることを特徴とする換気扇の取付構造。
【請求項４】
室内の壁面に形成された取付開口部に取付枠を設け、この取付枠の奥部にダクトジョイントを取り付けて、前記取付枠の内部に換気扇本体を挿入し、該換気扇本体の奥部を前記ダクトジョイントに、掛止させる換気扇の取付構造において、
前記取付枠は、前記取付開口部の断面に沿って延びる平板部を備えており、この平板部の奥方の縁部に該平板部に沿って延びる被掛止突起が形成され、前記平板部の該被掛止突起の基部近傍に掛止開口部が形成され、前記ダクトジョイントに、前記取付開口部の入り口側から前記ダクトジョイントを挿入するときに前記被掛止突起を保持する第１爪部と、前記取付開口部の入り口側から前記ダクトジョイントを挿入するときに前記掛止開口部の上縁部を保持する第２爪部とが形成され、
前記換気扇本体に被掛止部が形成され、前記ダクトジョイントに、前記被掛止部に挿入されて前記ダクトジョイントを前記換気扇本体に近づける案内部が形成されていることを特徴とする換気扇の取付構造。
【請求項５】
請求項４の換気扇の取付構造を用いて行う換気扇の取付方法において、
前記換気扇本体を前記取付枠に挿入するときに、前記被掛止突起を前記第１爪部で保持し、前記掛止開口部を前記ダクトジョイントの第２爪部で保持させ、前記換気扇本体を前記取付枠の奥方に変位させたときに、前記換気扇本体の被掛止部に前記ダクトジョイントの案内部を挿入して前記換気扇本体と前記ダクトジョイントを塗密着させることを特徴とする換気扇の取付方法。
【発明の詳細な説明】
【０００１】
【発明の属する技術分野】
本発明は、換気扇を室内壁面に取り付ける換気扇の取付構造及び換気扇の取付方法に関する。
【０００２】
【従来の技術】
従来から、浴室換気扇を取り付ける換気扇の取付構造としては、図７乃至図１０に示すものが知られている。図７乃至図１０に示すものは、浴室換気扇を浴室内から取り付けるものである。
【０００３】
図７において、浴室天井に形成された開口部１には、取付枠２が設置される。浴室天井の開口部上部にある建物の梁等にアンカーボルト（図示せず）を取り付けてある。取付枠２の四隅の取付板部２Ｆの長孔２ＧにはＬ型金具３がボルト・ナット等で取り付けられており、Ｌ型金具３を前記アンカーボルトに挿入してナットにより固定して取付枠２を固定した後に、換気扇本体４を挿入して固定する方法が採られている。
【０００４】
取付枠２は、鉛直方向に延びて矩形の枠体形状を形成する縦板部２Ａと、この縦板部の上縁部に水平方向に延びる上部フランジ部２Ｂとを有しており、上部フランジ部２Ｂにダクトジョイント５〜７及び遮蔽板８が取り付けられる。換気扇本体４は、この矩形の縦板部２Ａの内部に挿入され、換気扇本体４のフランジ９の孔にネジ１０〜１３を通し、ネジ１０〜１３を縦板部２Ａの下部フランジ２Ｃにネジ止めして取り付けられる。
【０００５】
図１０に示すように、ダクトジョイント５の縦板部５Ａの左右端部には、取付枠２のフランジ２Ｂに支持される側板部５Ｂが形成されており、側板部５Ｂには、掛止孔５Ｃが開口されている。また、取付枠２の上部フランジ２Ａには側板部５Ｂの掛止孔５Ｃに挿入される掛止突起２Ｄが形成されている。掛止突起２Ｄは、切り欠き孔２Ｅの縁部を起立させたものであり、一対の掛止突起２Ｄによって、ダクトジョイント５を固定する。掛止突起２Ｄは、側板部５Ａの掛止孔５Ｃに挿入された後に側板部５Ａの外側に突出して側板部５Ａを掛止するものであり、一対の掛止突起２Ｄの後部は互いに外側に向かうように曲げられている。
【０００６】
ダクトジョイント５は取付枠２に固定する前に、換気を行う室内天井裏から延びるダクト（図示せず）を円筒部５Ｄに装着し、接着テープによりダクトとダクトジョイント５とを固定するものであり、ダクトを接続したダクトジョイント５は、左右の側板部５Ｂを掛止突起２Ｄに沿って上部フランジ２Ｂに支持させることにより、掛止突起２Ｄが掛止孔５Ｃに入り込んで側板部５Ｂの外側に飛び出し、縦板部２Ａと掛止突起２Ｄにて側板部５Ｂを拘束することにより、取付枠２に固定される。円筒部５Ｄはダクトジョイント５の縦板部５Ａの開口部と連なっており、換気扇本体４の空気出入用の開口部と連通する。
【０００７】
ダクトジョイント５の縦板部５Ａの上部には掛止爪５Ｅが形成されている。掛止爪５Ｅは、換気扇本体４の外側を覆う金属ケースの天井部４Ａに開口した掛止孔４Ｂに挿入して、金属ケースとダクトジョイント５とを接触させる。その他のダクトジョイント６，７も同様な構成を持ち、同様な取付方をするので、その説明を省略する。また、遮蔽板８は送付用の開口部を備えておらず、空気の出入りを禁止する。
【０００８】
【発明が解決しようとする課題】
しかしながら、従来の取付枠２は、浴室内から浴室換気扇を取り付けるために、ダクトジョイント５の掛止爪５Ｅと換気扇本体４の金属ケース４Ａの掛止孔４Ｂとの位置合わせが見えないために、ダクトジョイント５と換気扇本体４の金属ケース４Ａとが隙間なく接触しているかどうかを目視できない。そして、ダクトジョイント５はダクトに接続されるとダクトに引っ張られて傾きやすいので、傾いた状態でダクトジョイント５と換気扇本体４の金属ケース４Ａとが取り付けられてしまうと、換気扇本体４の金属ケース４Ａとダクトジョイント５との間に隙間が生じてしまい、換気扇本体４を駆動すると、その隙間から空気を吸引したり、排気してしまうという不具合が生じることが懸念される。
【０００９】
本発明は、このような問題に着目してなされたものであり、ダクトジョイントと換気扇本体の金属ケースとの間に隙間を生じさせず、確実にダクトジョイントと換気扇本体とを接触させて、給気や排気を確実に行う換気扇の取付構造及び換気扇の取付方法を提供することを目的とする。
【００１０】
【課題を解決するための手段】
上記課題を解決するために、本願の請求項１の換気扇の取付構造は、室内の壁面に形成された取付開口部に取付枠を設け、この取付枠の奥部にダクトジョイントを取り付け、前記取付枠の内部に換気扇本体を挿入し、該換気扇本体の奥部を前記ダクトジョイントに掛止させる換気扇の取付構造において、
前記ダクトジョイントと前記取付枠とは、前記取付枠の入り口側から奥方に前記ダクトジョイントを移動させて前記取付枠に取り付けることを特徴とする。
【００１１】
本願の請求項２の換気扇の取付構造は、請求項１の換気扇の取付構造において、
前記取付枠は、前記取付開口部の断面に沿って延びる平板部を備えており、この平板部の上縁部に該平板部に沿って延びる被掛止突起が形成され、前記平板部の該被掛止突起の基部近傍に掛止開口部が形成され、前記ダクトジョイントに、前記取付開口部の入り口側から前記ダクトジョイントを挿入して前記被掛止突起を保持する第１爪部と、前記取付開口部の入り口側から前記ダクトジョイントを挿入するときに、前記掛止開口部に挿入されて前記掛止開口部の上縁部を保持する第２爪部とが形成されていることを特徴とする。
【００１２】
本願の請求項３の換気扇の取付構造は、室内の壁面に形成された取付開口部に取付枠を設け、前記取付枠の奥部にダクトジョイントを取り付けて、前記取付枠の内部に換気扇本体を挿入し、該換気扇本体の奥部を前記ダクトジョイントに掛止させる換気扇の取付構造において、
前記換気扇本体に被掛止部が形成され、前記ダクトジョイントに、前記被掛止部に挿入されて前記ダクトジョイントを前記換気扇本体に近づける案内部が形成されていることを特徴とする。
【００１３】
本願の請求項４の換気扇の取付構造は、室内の壁面に形成された取付開口部に取付枠を設け、この取付枠の奥部にダクトジョイントを取り付けて、前記取付枠の内部に換気扇本体を挿入し、該換気扇本体の奥部を前記ダクトジョイントに、掛止させる換気扇の取付構造において、
前記取付枠は、前記取付開口部の断面に沿って延びる平板部を備えており、この平板部の奥方の縁部に該平板部に沿って延びる被掛止突起が形成され、前記平板部の該被掛止突起の基部近傍に掛止開口部が形成され、前記ダクトジョイントに、前記取付開口部の入り口側から前記ダクトジョイントを挿入するときに前記被掛止突起を保持する第１爪部と、前記取付開口部の入り口側から前記ダクトジョイントを挿入するときに前記掛止開口部の上縁部を保持する第２爪部とが形成され、
前記換気扇本体に被掛止部が形成され、前記ダクトジョイントに、前記被掛止部に挿入されて前記ダクトジョイントを前記換気扇本体に近づける案内部が形成されていることを特徴とする。
【００１４】
本願の請求項５の換気扇の取付方法は、請求項４の換気扇の取付構造を用いて行う換気扇の取付方法において、前記換気扇本体を前記取付枠に挿入するときに、前記被掛止突起を前記第１爪部で保持し、前記掛止開口部を前記ダクトジョイントの第２爪部で保持させ、前記換気扇本体を前記取付枠の奥方に変位させたときに、前記換気扇本体の被掛止部に前記ダクトジョイントの案内部を挿入して前記換気扇本体を前記ダクトジョイントに密着させることを特徴とする。
【００１５】
【発明の実施の形態】
以下、本願の実施の形態にかかる換気扇の取付構造及び取付方法を図面を用いて説明する。
【００１６】
図１は、本願の実施の形態にかかる換気扇の取付構造の主要部にかかる取付枠とダクトジョイントの取付状態を示す。符号２０は取付枠、符号３０はダクトジョイントであり、符号４Ａは換気扇本体４の金属ケースを示す。なお、金属ケース４Ａは換気扇本体４の一部である。
【００１７】
換気扇本体は金属ケース４Ａの内部に格納されている。また、取付枠２０は浴室の天井部２１に形成された取付開口部２２に浴室内から取り付けられるタイプのものである。取付枠２０は、それぞれ一対の長辺部２３と短辺部２４とを溶接接合して予め矩形に形成されている。長辺部２３と短辺部２４は取付開口部２２の断面に沿って延びる平面板で形成されている。
【００１８】
長辺部２３及び短辺部２４には、それぞれ図１のダクトジョイント３０を取り付けるための一対の被掛止突起２５と掛止開口部２６とを備えている。短辺部２４には、取付開口部２２の縁部に支持されるフランジ２７を備えているが、長辺部２３には取付開口部２２の縁部に支持されるフランジは設けられておらず、軽量化が図られている。長辺部２３の両端部には短辺部２４の接合板部２９が接合されている。また、図１、図３に示すように、長辺部２３の両端部には図７に示したＬ型金具３を取り付けるための取付板部３１が形成され、取付板部３１の下側に短辺部２４のフランジ３２が接合されている。
【００１９】
一対の被掛止突起２５の上部側縁部には、互いに外側に突出する小突起２８が備えられている。一対の被掛止突起２５の間は凹部２５Ａが形成されており、図５に示すように、ダクトジョイント３０を凹部２５Ａに配置できるようになっている。凹部２５Ａの下部には掛止開口部２６が一対形成されている。
【００２０】
ダクトジョイント３０には、縦方向に延びる基板部３３を備えており、基板部３３に接続用の箱形の筒部３４が接合されている。筒部３４の基部３４Ａには小さな突起３５が形成されており、この突起３５が被掛止突起２５の上縁部に接触している。突起３５は被掛止突起２５によって下側に移動することを規制されている。
【００２１】
ダクトジョイント３０の左右側縁部には小突起２８を挿入する第１爪部３６が形成されている。第１爪部３６の上縁部には上部に案内傾斜面３７Ａを備えた溝３７が形成されており、ダクトジョイント３０を取付枠２０の下側から挿入するときに、傾斜面３７Ａが小突起２８を案内して溝３７に保持させ、基板部３３と被掛止突起２５とを近接させる。
【００２２】
ダクトジョイント３０の下部には、掛止開口部２６に挿入する第２爪部３８が形成されている。第２爪部３８は下側から上側に突出するように形成され、第２爪部３８の上縁部に案内傾斜部３８Ａが形成されている。第２爪部３８は掛止開口部２６に挿入されて下側から上側に変位されるときに、掛止開口部２６の上縁部を保持して、ダクトジョイント３０の基板部３３を取付枠２０の短辺部２４に接近させる。ダクトジョイント３０は筒部３４の基部３４Ａを介して被掛止突起２５に接触しており、第１爪部３６及び第２爪部３８並びに突起３５によって取付枠２０の短辺部２４に固定されている。
【００２３】
ダクトジョイント３０の基板部３３の上部には、図７に示す換気扇本体４の金属ケース４Ａに挿入される案内部３９が形成されている。案内部３９は、金属ケース４Ａに形成された被掛止部４１に挿入されてダクトジョイント３０の上部を金属ケース４Ａに近づける。案内部３９は、上側から下側に延びている。案内部３９の下端縁部３９Ａは、基板部３３から離れる方向に傾斜しており、金属ケース４Ａが取付枠２０に挿入されたときに、金属ケース４Ａの被掛止部４１に挿入される。案内部３９は、ダクトジョイント３０を金属ケース４Ａに近づけ、若しくは、被掛止部４１をダクトジョイント３０側に近づけてダクトジョイント３０と換気扇本体４の金属ケース４Ａとを密着させる。
【００２４】
この実施の形態の換気扇の取付構造は、室内の壁面である浴室天井２１に形成された取付開口部２２に取付枠２０を取付け、この取付枠２０の奥部にダクトジョイント３０を取り付け、取付枠２０の内部に換気扇本体４のケース４Ａを挿入し、ケース４Ａの奥部をダクトジョイント３０に掛止させる換気扇の取付構造である。そして、取付枠２０は、取付開口部２２の断面に沿って延びる平板部を備えており、この平板部の奥方の縁部に被掛止突起２５が形成され、被掛止突起２５の基部近傍に掛止開口部２６が形成されている。一方、ダクトジョイント３０には、取付開口部２２の入り口側から被掛止板部２５を挿入してダクトジョイント３０を被掛止板部に近づける第１爪部３６と、取付開口部２２の入り口側から挿入されてダクトジョイント３０を被掛止板部２５に近づける第２爪部３８とが形成されている。ケース４Ａの奥壁部には被掛止部４１が形成されており、ダクトジョイント３０に、被掛止部４１に挿入されてダクトジョイント３０をケース４Ａに近づける案内部３９が形成されている。
【００２５】
このような構成からなる換気扇の取付方法においては、ケース４Ａを取付枠２０に挿入する際に、被掛止突起２５をダクトジョイント３０の第１爪部３６を入り口側から奥方に挿入して保持させると共に、第２爪部３８を掛止開口部２６に挿入してダクトジョイント３０の基部近傍を保持させる。ケース４Ａを取付枠２０の奥方に変位させたときに、ケース４Ａの奥壁部の被掛止部４１にダクトジョイント３０の案内部３９を挿入すると、取付枠２０にダクトジョイント３０を固定することができる。
【００２６】
このような換気扇の取付構造及び取付方法によれば、ダクトジョイント３０と換気扇本体４の金属ケース４Ａとの間に隙間を生じさせず、確実にダクトジョイント３０と換気扇本体４とを接触させて、給気や排気を確実に行うことができる。
【００２７】
しかも、取付枠２０に従来のような上部フランジ２Ｂや、掛止突起２Ｄが形成されていないので、軽量化できており、作業性が向上すると共に天井にかかる荷重が少なくなる。また、ダクトジョイント３０を下から上に移動させることで第１爪部３６が被掛止突起２５を保持し，第２爪部３８が掛止開口部２６の上縁部を保持するので、ダクトジョイント３０を取付枠２０に取り付ける作業が容易である。更に、換気扇本体４を取り付ける際に案内部３９が金属ケース４Ａとダクトジョイント３０とを密着させるので、隙間の発生が防止され、換気扇の給気や排気を確実に行うことができる。
【００２８】
【発明の効果】
本発明の換気扇の取付構造及び換気扇の取付方法によれば、ダクトジョイントと換気扇本体の金属ケースとの間に隙間を生じさせず、確実にダクトジョイントと換気扇本体とを接触させて、給気や排気を確実に行うことができる。
【図面の簡単な説明】
【図１】本願の実施の形態にかかる換気扇及びその取付枠の主要構成を示す斜視図。
【図２】図１の取付枠の斜視図。
【図３】図１の取付枠の長辺部と短片部との接合状態及びダクトジョイントと金属ケースの接合状態を示す図。
【図４】図１のダクトジョイントと取付枠の取付構造の側面図。
【図５】図１のダクトジョイントと取付枠の取付構造の正面図。
【図６】図１のダクトジョイントと取付枠の取付構造の部分拡大図。
【図７】従来の換気扇と取付枠の取付構造を示す分解斜視図。
【図８】従来の取付枠の平面図。
【図９】図８の取付枠の側面図。
【図１０】従来の取付枠とダクトジョイントの取付構造の説明図。
【符号の説明】
２０　取付枠
２３　長辺部
２４　短辺部
２５　被掛止突起
２６　掛止開口部
２８　小突起
３０　ダクトジョイント
３６　第１爪部
３８　第２爪部
３９　案内部
４１　被掛止部
【図１】
2004036946.tif 000003
【図２】
2004036946.tif 000004
【図３】
2004036946.tif 000005
【図４】
2004036946.tif 000006
【図５】
2004036946.tif 000007
【図６】
2004036946.tif 000008
【図７】
2004036946.tif 000009
【図８】
2004036946.tif 000010
【図９】
2004036946.tif 000011
【図１０】
2004036946.tif 000012